(57)【特許請求の範囲】
【請求項１】
ＴＤＤ（Ｔｉｍｅ  Ｄｉｖｉｓｉｏｎ  Ｄｕｐｌｅｘ）を支援する無線通信システムにおいて端末（ＵＥ）によってＳＲＳ（Ｓｏｕｎｄｉｎｇ  Ｒｅｆｅｒｅｎｃｅ  Ｓｉｇｎａｌ）を送信する方法であって、前記方法は、
４−ＴＣ（Ｔｒａｎｓｍｉｓｓｉｏｎ  Ｃｏｍｂ）  ＳＲＳによって支援される合計４つのＴＣのうちいずれか１つを指示するＴＣ情報を受信することと、
前記ＴＣ情報に基づいてＴＤＤ特別サブフレームのＵｐＰＴＳ（Ｕｐｌｉｎｋ  Ｐｉｌｏｔ  Ｔｉｍｅ  Ｓｌｏｔ）のＳＲＳシンボルに前記４−ＴＣ  ＳＲＳをマップすることと、
前記ＵｐＰＴＳを通じて前記４−ＴＣ  ＳＲＳを送信することと
を含み、
前記４−ＴＣ  ＳＲＳをマップすることにおいて、前記ＴＣ情報によって指示されたＴＣに基づいて前記ＳＲＳシンボル上で４つのＲＥ（Ｒｅｓｏｕｒｃｅ  Ｅｌｅｍｅｎｔ）当たりに１つのＲＥの単位で前記４−ＴＣ  ＳＲＳがマップされ、
前記４−ＴＣ  ＳＲＳの送信は、前記ＵｐＰＴＳに少なくとも２つのシンボルが設定されるときに支援される、方法。
【請求項２】
前記ＵｐＰＴＳに１つのシンボルのみが設定されるときに、前記１つのシンボルは、前記４−ＴＣ  ＳＲＳでなく２−ＴＣ  ＳＲＳの送信を支援する、請求項１に記載の方法。
【請求項３】
前記ＵｐＰＴＳ内で前記４−ＴＣ  ＳＲＳがマップされる前記ＳＲＳシンボルのインデックスは固定される、請求項１に記載の方法。
【請求項４】
２−ＴＣ  ＳＲＳが送信される上りリンクサブフレームでは前記４−ＴＣ  ＳＲＳの送信が許容されない、請求項１に記載の方法。
【請求項５】
基地局（ＢＳ）からＳＲＳ送信に使用可能な追加的なシンボルの情報をＲＲＣシグナリングを通じて受信することをさらに含む、請求項１に記載の方法。
【請求項６】
前記４−ＴＣ  ＳＲＳは、
１つのアンテナポート又は２つのアンテナポートを介して送信される、請求項１に記載の方法。
【請求項７】
前記４−ＴＣ  ＳＲＳが前記１つのアンテナポートを介して送信される場合に、前記１つのアンテナポートｓｒｓｐ（ｎ）は式Ａによって決定され、
【数１】
0006362707.tif 000159
Ｍは、前記ＵＥの受信（Ｒｘ）アンテナの個数であり、ｎｆは、ＳＦＮ（Ｓｙｓｔｅｍ  Ｆｒａｍｅ  Ｎｕｍｂｅｒ）であり、ｎｓは、スロットナンバーであり、ＴＳＲＳは、ＵＥ特定のＳＲＳ送信周期である、請求項６に記載の方法。
【請求項８】
前記４−ＴＣ  ＳＲＳが前記２つのアンテナポートを介して送信される場合に、前記２つのアンテナポートｓｒｓｐ（ｎ）及びｓｒｓｐ＋１（ｎ）は、式Ｂによって決定され、
【数２】
0006362707.tif 000160
Ｍは、前記ＵＥの受信（Ｒｘ）アンテナの個数であり、ｎｆは、ＳＦＮ（Ｓｙｓｔｅｍ  Ｆｒａｍｅ  Ｎｕｍｂｅｒ）であり、ｎｓは、スロットナンバーであり、ＴＳＲＳは、ＵＥ特定のＳＲＳ送信周期である、請求項６に記載の方法。
【請求項９】
ＴＤＤ（Ｔｉｍｅ  Ｄｉｖｉｓｉｏｎ  Ｄｕｐｌｅｘ）を支援する無線通信システムにおいてＳＲＳ（Ｓｏｕｎｄｉｎｇ  Ｒｅｆｅｒｅｎｃｅ  Ｓｉｇｎａｌ）を送信する端末（ＵＥ）であって、前記ＵＥは、
４−ＴＣ（Ｔｒａｎｓｍｉｓｓｉｏｎ  Ｃｏｍｂ）  ＳＲＳによって支援される合計４つのＴＣのうちいずれか１つを指示するＴＣ情報を受信する受信機と、
前記ＴＣ情報に基づいてＴＤＤ特別サブフレームのＵｐＰＴＳ（Ｕｐｌｉｎｋ  Ｐｉｌｏｔ  Ｔｉｍｅ  Ｓｌｏｔ）のＳＲＳシンボルに前記４−ＴＣ  ＳＲＳをマップするプロセッサと、
前記ＵｐＰＴＳを通じて前記４−ＴＣ  ＳＲＳを送信する送信機と
を含み、
前記４−ＴＣ  ＳＲＳをマップすることにおいて、前記プロセッサは、前記ＴＣ情報によって指示されたＴＣに基づいて前記ＳＲＳシンボル上で４つのＲＥ（Ｒｅｓｏｕｒｃｅ  Ｅｌｅｍｅｎｔ）当たりに１つのＲＥの単位で前記４−ＴＣ  ＳＲＳをマップし、
前記４−ＴＣ  ＳＲＳの送信は、前記ＵｐＰＴＳに少なくとも２つのシンボルが設定されるときに支援される、ＵＥ。
【請求項１０】
ＴＤＤ（Ｔｉｍｅ  Ｄｉｖｉｓｉｏｎ  Ｄｕｐｌｅｘ）を支援する無線通信システムにおいて基地局（ＢＳ）によってＳＲＳ（Ｓｏｕｎｄｉｎｇ  Ｒｅｆｅｒｅｎｃｅ  Ｓｉｇｎａｌ）を受信する方法であって、前記方法は、
４−ＴＣ（Ｔｒａｎｓｍｉｓｓｉｏｎ  Ｃｏｍｂ）  ＳＲＳによって支援される合計４つのＴＣのうちいずれか１つを指示するＴＣ情報を送信することと、
前記ＴＣ情報に基づいてＴＤＤ特別サブフレームのＵｐＰＴＳ（Ｕｐｌｉｎｋ  Ｐｉｌｏｔ  Ｔｉｍｅ  Ｓｌｏｔ）のＳＲＳシンボルにマップされた前記４−ＴＣ  ＳＲＳを受信することと
を含み、
前記４−ＴＣ  ＳＲＳは、前記ＴＣ情報によって指示されたＴＣに基づいて前記ＳＲＳシンボル上で４つのＲＥ（Ｒｅｓｏｕｒｃｅ  Ｅｌｅｍｅｎｔ）当たりに１つのＲＥの単位でマップされ、
前記４−ＴＣ  ＳＲＳの受信は、前記ＵｐＰＴＳに少なくとも２つのシンボルが設定されるときに支援される、方法。
【請求項１１】
前記ＵｐＰＴＳに１つのシンボルのみが設定されるときに、前記１つのシンボルは、前記４−ＴＣ  ＳＲＳでなく２−ＴＣ  ＳＲＳの送信を支援する、請求項１０に記載の方法。
【請求項１２】
前記ＵｐＰＴＳ内で前記４−ＴＣ  ＳＲＳがマップされる前記ＳＲＳシンボルのインデックスは固定される、請求項１０に記載の方法。
【請求項１３】
２−ＴＣ  ＳＲＳが送信される上りリンクサブフレームでは前記４−ＴＣ  ＳＲＳの送信が許容されない、請求項１０に記載の方法。
【請求項１４】
ＳＲＳ送信に使用可能な追加的なシンボルの情報をＲＲＣシグナリングを通じて端末（ＵＥ）に送信することをさらに含む、請求項１０に記載の方法。
【請求項１５】
前記４−ＴＣ  ＳＲＳは、
１つのアンテナポート又は２つのアンテナポートを介して送信される、請求項１０に記載の方法。
【発明の詳細な説明】
【技術分野】
【０００１】
本発明は、無線通信システムに関し、より詳細には、ＴＤＤ（Ｔｉｍｅ  Ｄｉｖｉｓｉｏｎ  Ｄｕｐｌｅｘ）方式の無線通信システムにおいて特別サブフレームを通じてサウンディング参照信号を送信又は受信する方法及びこのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定できる。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明が達成しようとする技術的課題は、ＴＤＤを支援する無線通信システムにおいてＳＲＳが支援する最大の送信コム（Ｔｒａｎｓｍｉｓｓｉｏｎ  Ｃｏｍｂ）を増加させることによって、より効率的にＳＲＳを送信又は受信する方法及びこれを行う装置を提供することにある。
【課題を解決するための手段】
【０００８】
上述した技術的課題を達成するための本発明の一側面に係るＴＤＤ（Ｔｉｍｅ  Ｄｉｖｉｓｉｏｎａｌ  Ｄｕｐｌｅｘ）を支援する無線通信システムにおいて端末がＳＲＳ（ｓｏｕｎｄｉｎｇ  ｒｅｆｅｒｅｎｃｅ  ｓｉｇｎａｌ）を送信する方法は、４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を受信すること；前記ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルに前記４−ＴＣ  ＳＲＳをマップすること；及び前記ＵｐＰＴＳを通じて前記４−ＴＣ  ＳＲＳを送信すること；を含み、前記４−ＴＣ  ＳＲＳをマップすることは、前記ＴＣ情報によって指示されたＴＣに基づいて前記ＳＲＳシンボル上で４個のＲＥ当たりに１個のＲＥの単位で前記４−ＴＣ  ＳＲＳがマップされ、前記４−ＴＣ  ＳＲＳの送信は、前記ＵｐＰＴＳに多数のシンボルが設定される場合に支援される。
【０００９】
上述した技術的課題を達成するための本発明の他の一側面に係るＴＤＤ（Ｔｉｍｅ  Ｄｉｖｉｓｉｏｎａｌ  Ｄｕｐｌｅｘ）を支援する無線通信システムにおいてＳＲＳ（ｓｏｕｎｄｉｎｇ  ｒｅｆｅｒｅｎｃｅ  ｓｉｇｎａｌ）を送信する端末は、４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を受信する受信機；前記ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルに前記４−ＴＣ  ＳＲＳをマップするプロセッサ；及び前記ＵｐＰＴＳを通じて前記４−ＴＣ  ＳＲＳを送信する送信機；を含み、前記４−ＴＣ  ＳＲＳをマップする前記プロセッサは、前記ＴＣ情報によって指示されたＴＣに基づいて前記ＳＲＳシンボル上で４個のＲＥ当たりに１個のＲＥの単位で前記４−ＴＣ  ＳＲＳをマップし、前記４−ＴＣ  ＳＲＳの送信は、前記ＵｐＰＴＳに多数のシンボルが設定される場合に支援される。
【００１０】
上述した技術的課題を達成するための本発明の更に他の一側面に係るＴＤＤ（Ｔｉｍｅ  Ｄｉｖｉｓｉｏｎａｌ  Ｄｕｐｌｅｘ）を支援する無線通信システムにおいて基地局がＳＲＳ（ｓｏｕｎｄｉｎｇ  ｒｅｆｅｒｅｎｃｅ  ｓｉｇｎａｌ）を受信する方法は、４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を送信すること；及び前記ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルにマップされた前記４−ＴＣ  ＳＲＳを受信すること；を含み、前記４−ＴＣ  ＳＲＳは、前記ＴＣ情報によって指示されたＴＣに基づいて前記ＳＲＳシンボル上で４個のＲＥ当たりに１個のＲＥの単位でマップされ、前記４−ＴＣ  ＳＲＳの受信は、前記ＵｐＰＴＳに多数のシンボルが設定される場合に支援される。
【００１１】
好ましくは、前記ＵｐＰＴＳに一つのシンボルのみが設定されると、前記一つのＳＲＳシンボルは、前記４−ＴＣ  ＳＲＳでなく２−ＴＣ  ＳＲＳ送信を支援することができる。
【００１２】
好ましくは、前記ＵｐＰＴＳ内で前記４−ＴＣ  ＳＲＳがマップされる前記ＳＲＳシンボルのインデックスは固定することができる。
【００１３】
好ましくは、２−ＴＣ  ＳＲＳが送信される上りリンクサブフレームでは前記４−ＴＣ  ＳＲＳの送信が許容されない場合がある。
【００１４】
好ましくは、前記端末が基地局からＳＲＳ送信に使用可能な追加的なシンボルの情報をＲＲＣシグナリングを通じて受信することができる。
【００１５】
好ましくは、前記４−ＴＣ  ＳＲＳは、前記端末の多数のアンテナポートのうち一つ又は２個を介して送信することができる。
【００１６】
より好ましくは、前記４−ＴＣ  ＳＲＳが一つのアンテナポートを介して送信される場合、前記一つのアンテナポートｓｒｓｐ（ｎ）は、式
【化１】
0006362707.tif 000002
に基づいて決定され、「Ｍ」は、前記端末の受信アンテナの個数を示し、「ｎｆ」は、ＳＦＮ（ｓｙｓｔｅｍ  ｆｒａｍｅ  ｎｕｍｂｅｒ）を示し、「ｎｓ」は、スロットナンバーを示し、「ＴＳＲＳ」は、端末特定のＳＲＳ送信周期を示すことができる。
【００１７】
より好ましくは、前記４−ＴＣ  ＳＲＳが２個のアンテナポートを介して送信される場合、前記２個のアンテナポートｓｒｓｐ（ｎ）及びｓｒｓｐ＋１（ｎ）は、式
【化２】
0006362707.tif 000003
に基づいて決定され、「Ｍ」は、前記端末の受信アンテナの個数を示し、「ｎｆ」は、ＳＦＮ（ｓｙｓｔｅｍ  ｆｒａｍｅ  ｎｕｍｂｅｒ）を示し、「ｎｓ」は、スロットナンバーを示し、「ＴＳＲＳ」は、端末特定のＳＲＳ送信周期を示すことができる。
【発明の効果】
【００１８】
本発明の一実施例によると、ＳＲＳが支援する送信コム（Ｔｒａｎｓｍｉｓｓｉｏｎ  Ｃｏｍｂ）が４に拡張されることによってＳＲＳの多重化容量が増加し得るだけでなく、ＵｐＰＴＳを通じてＳＲＳが送信されることによって、ＴＤＤシステムにおいてＳＲＳ送信による上りリンクリソースの不足とＳＲＳ送信オーバーヘッドを効率的に管理することができる。
【００１９】
本発明で得られる効果は、以上で言及した効果に制限されるものではなく、言及していない他の効果は、下記の記載から本発明の属する技術分野で通常の知識を有する者に明確に理解され得るだろう。
【図面の簡単な説明】
【００２０】
【図１】図１は、無線通信システムの一例としてＥ−ＵＭＴＳネットワーク構造を概略的に示す図である。
【００２１】
【図２】図２は、３ＧＰＰ無線接続ネットワーク規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）構造を示す図である。
【００２２】
【図３】図３は、３ＧＰＰシステムに用いられる物理チャネル及びこれらのチャネルを用いた一般的な信号送信方法を説明するための図である。
【００２３】
【図４】図４は、ＬＴＥシステムで用いられる下りリンク無線フレームの構造を例示する図である。
【００２４】
【図５】図５は、ＬＴＥシステムで用いられる上りリンクサブフレームの構造を示す図である
【００２５】
【図６】図６は、ＬＴＥ  ＴＤＤシステムにおける無線フレームの構造を例示する図である。
【００２６】
【図７】図７は、搬送波集成（ｃａｒｒｉｅｒ  ａｇｇｒｅｇａｔｉｏｎ）技法を説明する概念図である。
【００２７】
【図８】図８は、本発明の一実施例に係るアンテナアレイを示す図である。
【００２８】
【図９】図９は、本発明の一実施例で使用可能な交差偏波（Ｃｒｏｓｓ−ｐｏｌａｒｉｚｅｄ）アンテナアレイを示す図である。
【００２９】
【図１０】図１０は、本発明の一実施例に係る６４  Ｘ−Ｐｏｌアンテナアレイにおける垂直及び水平アンテナ素子を示す図である。
【００３０】
【図１１ａ】図１１ａは、一般ＣＰのための短縮された（Ｓｈｏｒｔｅｎｅｄ）ＰＵＣＣＨフォーマット１ｘを示す図である。
【００３１】
【図１１ｂ】図１１ｂは、本発明の一実施例に係る短縮されたＰＵＣＣＨフォーマットを示す図である。
【００３２】
【図１２ａ】図１２ａは、一般ＣＰのための短縮されたＰＵＣＣＨフォーマット３を示す図である。
【００３３】
【図１２ｂ】図１２ｂは、本発明の他の一実施例に係る短縮されたＰＵＣＣＨフォーマットを示す図である。
【００３４】
【図１３】図１３は、本発明の一実施例に係るＳＲＳ送受信方法の流れを示す図である。
【００３５】
【図１４】図１４は、本発明の一実施例に係る端末と基地局を示す図である。
【発明を実施するための形態】
【００３６】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００３７】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書で、基地局の名称は、ＲＲＨ（ｒｅｍｏｔｅ  ｒａｄｉｏ  ｈｅａｄ）、送信ポイント（ｔｒａｎｓｍｉｓｓｉｏｎ  ｐｏｉｎｔ；ＴＰ）、受信ポイント（ｒｅｃｅｐｔｉｏｎ  ｐｏｉｎｔ；ＲＰ）、ｅＮＢ、中継機（ｒｅｌａｙ）などを含む包括的な用語として使われる。
【００３８】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御平面及びユーザ平面の構造を示す図である。制御平面とは、端末（ＵＥ）とネットワークとが呼を管理するために用いる制御メッセージが送信される通路のことを意味する。ユーザ平面とは、アプリケーション層で生成されたデータ、例えば、音声データ又はインターネットパケットデータなどが送信される通路のことを意味する。
【００３９】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００４０】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとして具現してもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を持つ。
【００４１】
第３層の最下部に位置する無線リソース制御（Ｒａｄｉｏ  Ｒｅｓｏｕｒｃｅ  Ｃｏｎｔｒｏｌ；ＲＲＣ）層は、制御平面にのみ定義される。ＲＲＣ層は、無線ベアラ（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関して、論理チャネル、伝送チャネル及び物理チャネルの制御を担当する。無線ベアラ（ＲＢ）とは、端末とネットワークとの間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層との間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を持つ。
【００４２】
基地局（ｅＮＢ）を構成する一つのセルは、１．４、３、５、１０、１５、２０ＭＨｚなどの帯域幅のうちの一つに設定され、複数の端末に下り又は上り送信サービスを提供する。異なったセルは互いに異なった帯域幅を提供するように設定できる。
【００４３】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４４】
図３は、３ＧＰＰシステムに用いられる物理チャネル及びこれらのチャネルを用いた一般の信号送信方法を説明するための図である。
【００４５】
端末は、電源がついたり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得できる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ  ＲＳ）を受信し、下りリンクチャネル状態を確認できる。
【００４６】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに乗せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得できる（Ｓ３０２）。
【００４７】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００４８】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行うことができる。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含み、その使用目的によってフォーマットが異なる。
【００４９】
一方、端末が上りリンクで基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムにおいて、端末は、これらのＣＱＩ／ＰＭＩ／ＲＩなどの制御情報をＰＵＳＣＨ及び／又はＰＵＣＣＨを介して送信することができる。
【００５０】
図４は、下りリンク無線フレームにおいて一つのサブフレームの制御領域に含まれる制御チャネルを例示する図である。
【００５１】
図４を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００５２】
ＰＣＦＩＣＨは物理制御フォーマット指示子チャネルであり、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１  ＯＦＤＭシンボルと定義される最小物理リソースを表す。ＰＣＦＩＣＨ値は、帯域幅によって１〜３又は２〜４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００５３】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルであり、上りリンク送信に対するＨＡＲＱ  ＡＣＫ／ＮＡＣＫを運ぶために用いられる。すなわち、ＰＨＩＣＨは、上りリンクＨＡＲＱのためのＤＬ  ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシティ利得を得るために３回反復（ｒｅｐｅｔｉｔｉｏｎ）される。
【００５４】
ＰＤＣＣＨは物理下りリンク制御チャネルであり、サブフレームにおける先頭のｎ個のＯＦＤＭシンボルに割り当てられる。ここで、ｎは１以上の整数であり、ＰＣＦＩＣＨによって示される。ＰＤＣＣＨは一つ以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して送信される。したがって、基地局と端末は、一般に、特定の制御情報又は特定のサービスデータ以外は、ＰＤＳＣＨを介してデータをそれぞれ送信及び受信する。
【００５５】
ＰＤＳＣＨのデータがいずれの端末（１つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」という伝送形式情報（例、伝送ブロックサイズ、変調方式、コーディング情報など）を用いて送信されるデータに関する情報が、特定サブフレームで送信されると仮定する。この場合、セル内の端末は、自身が持っているＲＮＴＩ情報を用いてＰＤＣＣＨをモニタし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００５６】
図５は、ＬＴＥシステムで用いられる上りリンクサブフレームの構造を示す図である
【００５７】
図５を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームの中間部分がＰＵＳＣＨに割り当てられ、周波数領域でデータ領域の両側部分がＰＵＣＣＨに割り当てられる。ＰＵＣＣＨ上で送信される制御情報には、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当て要請であるＳＲ（Ｓｃｈｅｄｕｌｉｎｇ  Ｒｅｑｕｅｓｔ）などがある。一つの端末に対するＰＵＣＣＨは、サブフレームにおける各スロットで互いに異なる周波数を占める一つのリソースブロックを使用する。すなわち、ＰＵＣＣＨに割り当てられる２個のリソースブロックは、スロット境界で周波数ホップ（ｆｒｅｑｕｅｎｃｙ  ｈｏｐｐｉｎｇ）する。特に、図５は、ｍ＝０のＰＵＣＣＨ、ｍ＝１のＰＵＣＣＨ，ｍ＝２のＰＵＣＣＨ、ｍ＝３のＰＵＣＣＨがサブフレームに割り当てられる場合を例示する。
【００５８】
また、一つのサブフレームにおいてサウンディング参照信号を送信し得る時間は、一つのサブフレームの時間軸上で最後のシンボルが位置する区間であり、周波数上ではデータ送信帯域を通してサウンディング参照信号が送信される。同一のサブフレームの最後のシンボルで送信される複数の端末のサウンディング参照信号は、周波数の位置によって区分することができる。
【００５９】
図６は、ＬＴＥ  ＴＤＤシステムにおいて無線フレームの構造を示す図である。ＬＴＥ  ＴＤＤシステムで、無線フレームは２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）で構成される。
【００６０】
前記特別サブフレームにおいて、ＤｗＰＴＳは、端末での初期セル探索、同期化又はチャネル推定に用いられる。ＵｐＰＴＳは、基地局でのチャネル推定と端末の上りリンク送信同期の獲得に用いられる。すなわち、ＤｗＰＴＳは、下りリンク送信に、ＵｐＰＴＳは上りリンク送信に用いられ、特に、ＵｐＰＴＳは、ＰＲＡＣＨプリアンブルやＳＲＳ送信の用途に用いられる。また、保護区間は、上りリンクと下りリンクとの間の下りリンク信号の多重経路遅延によって上りリンクで生じる干渉を除去するための区間である。
【００６１】
一方、ＬＴＥ  ＴＤＤシステムにおいて上りリンク／下りリンクサブフレーム設定（ＵＬ／ＤＬ  ｃｏｎｆｉｇｕｒａｔｉｏｎ）は、下記の表１のとおりである。
【００６２】
【表１】
0006362707.tif 000004
【００６３】
上記の表１で、Ｄは下りリンクサブフレーム、Ｕは上りリンクサブフレームを表し、Ｓは前記特別サブフレームを表す。また、上記の表１は、それぞれのシステムにおいて、上りリンク／下りリンクサブフレーム設定における下りリンク−上りリンクスイッチング周期も示している。
【００６４】
以下では、搬送波集成（ｃａｒｒｉｅｒ  ａｇｇｒｅｇａｔｉｏｎ）技法に関して説明する。図７は、搬送波集成（ｃａｒｒｉｅｒ  ａｇｇｒｅｇａｔｉｏｎ）を説明する概念図である
【００６５】
搬送波集成は、無線通信システムがより広い周波数帯域を使用するために、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きな論理周波数帯域として使用する方法を意味する。以下では、説明の便宜のために、コンポーネント搬送波という用語に統一するものとする。
【００６６】
図７を参照すると、全体のシステム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全体のシステム帯域は、５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。図７では、それぞれのコンポーネント搬送波がいずれも同一の帯域幅を有するとしたが、これは例示に過ぎず、それぞれのコンポーネント搬送波は、互いに異なる帯域幅を有することもできる。また、それぞれのコンポーネント搬送波は周波数領域で互いに隣接しているとしたが、同図は論理的な概念で図示したものであり、それぞれのコンポーネント搬送波は物理的に互いに隣接していてもよく、離れていてもよい。
【００６７】
中心搬送波（Ｃｅｎｔｅｒ  ｆｒｅｑｕｅｎｃｙ）は、それぞれのコンポーネント搬送波に対して個別に使用してもよく、物理的に隣接したコンポーネント搬送波に対して共通した一つの中心搬送波を使用してもよい。一例として、図７で、全てのコンポーネント搬送波が物理的に隣接していると仮定すれば、中心搬送波Ａを使用することができる。また、それぞれのコンポーネント搬送波が物理的に隣接していない場合を仮定すれば、各コンポーネント搬送波に対してそれぞれ中心搬送波Ａ、中心搬送波Ｂなどを使用することができる。
【００６８】
本明細書で、コンポーネント搬送波は、レガシーシステムのシステム帯域に該当するものとすることができる。コンポーネント搬送波をレガシーシステムを基準に定義することによって、進化した端末とレガシー端末とが共存する無線通信環境で逆支援性（ｂａｃｋｗａｒｄ  ｃｏｍｐａｔｉｂｉｌｉｔｙ）の提供及びシステム設計を容易にすることができる。一例として、ＬＴＥ−Ａシステムが搬送波集成を支援する場合に、それぞれのコンポーネント搬送波はＬＴＥシステムのシステム帯域に該当するものとすることができる。この場合、コンポーネント搬送波は、１．２５、２．５、５、１０又は２０ＭＨｚ帯域幅のいすれかを有することができる。
【００６９】
搬送波集成によって全体のシステム帯域を拡張した場合に、各端末との通信に使われる周波数帯域はコンポーネント搬送波単位に定義される。端末Ａは、全体のシステム帯域である１００ＭＨｚを使用することができ、５個のコンポーネント搬送波を全て使用して通信を行う。端末Ｂ１〜Ｂ５は、２０ＭＨｚ帯域幅のみを使用することができ、１個のコンポーネント搬送波を使用して通信を行う。端末Ｃ１及びＣ２は、４０ＭＨｚ帯域幅を使用することができ、それぞれ２個のコンポーネント搬送波を使用して通信を行う。ここで、２個のコンポーネント搬送波は論理／物理的に隣接していてもよく、隣接していなくてもよい。端末Ｃ１は、隣接していない２個のコンポーネント搬送波を使用する場合を表し、端末Ｃ２は、隣接している２個のコンポーネント搬送波を使用する場合を表す。
【００７０】
ＬＴＥシステムの場合、１個の下りリンクコンポーネント搬送波と１個の上りリンクコンポーネント搬送波を使用するのに対し、ＬＴＥ−Ａシステムでは、図７に示すように、複数のコンポーネント搬送波を使用してもよい。このとき、制御チャネルがデータチャネルをスケジュールする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに分類することができる。
【００７１】
より具体的に、リンク搬送波スケジューリングは、単一コンポーネント搬送波を用いる既存のＬＴＥシステムのように、特定コンポーネント搬送波で送信される制御チャネルは、該特定コンポーネント搬送波を用いてデータチャネルのみをスケジュールする。
【００７２】
一方、クロス搬送波スケジューリングは、搬送波指示子フィールド（Ｃａｒｒｉｅｒ  Ｉｎｄｉｃａｔｏｒ  Ｆｉｅｌｄ；ＣＩＦ）を用いてプライマリコンポーネント搬送波（Ｐｒｉｍａｒｙ  ＣＣ）で送信される制御チャネルが、該プライマリコンポーネント搬送波で送信される或いは他のコンポーネント搬送波で送信されるデータチャネルをスケジュールする。
【００７３】
以下、ＬＴＥシステムにおいて上りリンク送信電力制御方法に関して説明する。
【００７４】
端末が自身の上りリンク送信電力を制御する方法としては、開ループ電力制御（Ｏｐｅｎ  Ｌｏｏｐ  Ｐｏｗｅｒ  Ｃｏｎｔｒｏｌ；ＯＬＰＣ）と閉ループ電力制御（Ｃｌｏｓｅｄ  Ｌｏｏｐ  Ｐｏｗｅｒ  Ｃｏｎｔｒｏｌ；ＣＬＰＣ））を含む。このうち、前者は、端末の属したセルの基地局からの下りリンク信号減衰を推定し、これを補償する形態で電力制御をするための因子であり、端末から基地局までの距離がより増加して下りリンクの信号減衰が大きいと、上りリンクの送信電力をより高める方式で上りリンク電力を制御する。そして、後者は、基地局から、上りリンク送信電力を調節する上で必要な情報（すなわち、制御信号）を直接伝達する方式で上りリンク電力を制御する。
【００７５】
次の式１は、搬送波集成技法を支援するシステムにおいて、サービングセル
【化３】
0006362707.tif 000005
のサブフレームインデックス
【化４】
0006362707.tif 000006
上でＰＵＳＣＨとＰＵＣＣＨを同時に送信せずにＰＵＳＣＨのみを送信する場合、端末の送信電力を決定するためのものである
【００７６】
【数１】
0006362707.tif 000007
【００７７】
次の式２は、搬送波集成技法を支援するシステムにおいて、サービングセル
【化５】
0006362707.tif 000008
のサブフレームインデックス
【化６】
0006362707.tif 000009
でＰＵＣＣＨとＰＵＳＣＨを同時に送信する場合、ＰＵＳＣＨ送信電力を決定するためのものである。
【００７８】
【数２】
0006362707.tif 000010
【００７９】
以下、上記の式１及び式２と関連して記述するパラメータは、サービングセル
【化７】
0006362707.tif 000011
における端末の上りリンク送信電力を決定するものである。ここで、上記式１の
【化８】
0006362707.tif 000012
は、サブフレームインデックス
【化９】
0006362707.tif 000013
で端末の送信可能な最大電力を表し、上記式２の
【化１０】
0006362707.tif 000014
は、
【化１１】
0006362707.tif 000015
の線形値（ｌｉｎｅａｒ  ｖａｌｕｅ）を表す。上記式２の
【化１２】
0006362707.tif 000016
は、
【化１３】
0006362707.tif 000017
の線形値を表す（ここで、
【化１４】
0006362707.tif 000018
は、サブフレームインデックス
【化１５】
0006362707.tif 000019
におけるＰＵＣＣＨ送信電力を表す。
【００８０】
再び式１で、
【化１６】
0006362707.tif 000020
は、サブフレームインデックス
【化１７】
0006362707.tif 000021
に対して有効なリソースブロック数で表現されたＰＵＳＣＨリソース割当ての帯域幅を表すパラメータであり、基地局が割り当てる値である。
【化１８】
0006362707.tif 000022
は、上位層から提供されたセル−特定ノミナルコンポーネント（ｎｏｍｉｎａｌ  ｃｏｍｐｏｎｅｎｔ）
【化１９】
0006362707.tif 000023
と上位層から提供された端末−特定コンポーネント
【化２０】
0006362707.tif 000024
との和で構成されたパラメータであり、基地局が端末に知らせる値である。
【００８１】
上りリンクグラントによるＰＵＳＣＨ送信／再送信は、
【化２１】
0006362707.tif 000025
は１であり、ランダムアクセス応答によるＰＵＳＣＨ送信／再送信は、
【化２２】
0006362707.tif 000026
は２である。そして、
【化２３】
0006362707.tif 000027
及び
【化２４】
0006362707.tif 000028
であり、パラメータ
【化２５】
0006362707.tif 000029
と
【化２６】
0006362707.tif 000030
は上位層でシグナルされる。
【００８２】
【化２７】
0006362707.tif 000031
は、経路損失補償因子（ｐａｔｈｌｏｓｓ  ｃｏｍｐｅｎｓａｔｉｏｎ  ｆａｃｔｏｒ）であり、上位層で提供され、基地局が３ビットで送信するセル−特定パラメータである。ここで、
【化２８】
0006362707.tif 000032
は０又は１のとき、
【化２９】
0006362707.tif 000033
であり、
【化３０】
0006362707.tif 000034
は２のとき、
【化３１】
0006362707.tif 000035
である。
【化３２】
0006362707.tif 000036
は、基地局が端末に知らせる値である。
【００８３】
経路損失
【化３３】
0006362707.tif 000037
は、端末がｄＢ単位で計算した下りリンク経路損失（又は、信号損失）推定値であり、
【化３４】
0006362707.tif 000038
＝ｒｅｆｅｒｅｎｃｅＳｉｇｎａｌＰｏｗｅｒ−ｈｉｇｈｅｒ  ｌａｙｅｒ  ｆｉｌｔｅｒｅｄＲＳＲＰと表現され、ここで、ｒｅｆｅｒｅｎｃｅＳｉｇｎａｌＰｏｗｅｒは、基地局が上位層で端末に知らせることができる。
【００８４】
【化３５】
0006362707.tif 000039
は、サブフレームインデックス
【化３６】
0006362707.tif 000040
に対して現在のＰＵＳＣＨ電力制御調整状態を示す値であり、現在の絶対値又は蓄積された値で表現することができる。蓄積（ａｃｃｕｍｕｌａｔｉｏｎ）が上位層から提供されるパラメータに基づいてイネーブル（ｅｎａｂｌｅ）されたり、又はＴＰＣ命令（ｃｏｍｍａｎｄ）
【化３７】
0006362707.tif 000041
が、ＣＲＣが臨時（Ｔｅｍｐｏｒａｒｙ）Ｃ−ＲＮＴＩでスクランブルされたサービングセル
【化３８】
0006362707.tif 000042
に対するＤＣＩフォーマット０と併せてＰＤＣＣＨに含まれると、
【化３９】
0006362707.tif 000043
を満たす。
【化４０】
0006362707.tif 000044
は、サブフレーム
【化４１】
0006362707.tif 000045
でＤＣＩフォーマット０／４又は３／３Ａと併せてＰＤＣＣＨでシグナルされ、ここで、
【化４２】
0006362707.tif 000046
は、蓄積値のリセット（ｒｅｓｅｔ）後の最初の値である。
【００８５】
【化４３】
0006362707.tif 000047
の値は、ＬＴＥ標準で次のように定義されている。
【００８６】
ＦＤＤ（Ｆｒｅｑｕｅｎｃｙ  Ｄｉｖｉｓｉｏｎ  Ｄｕｐｌｅｘ）に対しては、
【化４４】
0006362707.tif 000048
の値は４である。ＴＤＤで
【化４５】
0006362707.tif 000049
の値は次の表２のとおりである。
【００８７】
【表２】
0006362707.tif 000050
【００８８】
ＤＲＸ状態の場合以外は、毎サブフレームで端末は、端末のＣ−ＲＮＴＩでＤＣＩフォーマット０／４のＰＤＣＣＨを、又は端末のＴＰＣ−ＰＵＳＣＨ−ＲＮＴＩでＤＣＩフォーマット３／３ＡのＰＤＣＣＨ及びＳＰＳ  Ｃ−ＲＮＴＩに対するＤＣＩフォーマットを、デコードしようと試みる。サービングセルｃに対するＤＣＩフォーマット０／４及びＤＣＩフォーマット３／３Ａが同一サブフレームで検出されると、端末は、ＤＣＩフォーマット０／４で提供される
【化４６】
0006362707.tif 000051
を用いなければならない。サービングセルｃのためにデコードされるＴＰＣ命令（ｃｏｍｍａｎｄ）がないか、ＤＲＸが発生するか、又はインデックス
【化４７】
0006362707.tif 000052
のサブフレームがＴＤＤで上りリンクサブフレームでないサブフレームに対して、
【化４８】
0006362707.tif 000053
は０ｄＢである。
【００８９】
ＤＣＩフォーマット０／４と共にＰＤＣＣＨ上でシグナルされる
【化４９】
0006362707.tif 000054
蓄積値は、次の表３のとおりである。ＤＣＩフォーマット０と同伴するＰＤＣＣＨは、ＳＰＳ活性化（ａｃｔｉｖａｔｉｏｎ）で認証（ｖａｌｉｄａｔｉｏｎ）されたり、ＰＤＣＣＨをリリース（ｒｅｌｅａｓｅ）すれば、
【化５０】
0006362707.tif 000055
は０ｄＢである。ＤＣＩフォーマット３／３Ａと共にＰＤＣＣＨ上でシグナルされる
【化５１】
0006362707.tif 000056
蓄積値は、次の表３のＳＥＴ１の一つであるか、上位層で提供されるＴＰＣ−インデックス（ｉｎｄｅｘ）パラメータによって決定される、次の表４のＳＥＴ２の一つである。
【００９０】
【表３】
0006362707.tif 000057
【００９１】
【表４】
0006362707.tif 000058
【００９２】
サービングセル
【化５２】
0006362707.tif 000059
での送信最大電力
【化５３】
0006362707.tif 000060
に到達すると、サービングセルｃに対して正（ｐｏｓｉｔｉｖｅ）のＴＰＣ命令（ｃｏｍｍａｎｄ）が蓄積されない。一方、端末が最低電力に到達すると、負（ｎｅｇａｔｉｖｅ）のＴＰＣ命令が蓄積されない。
【００９３】
次の式３は、ＬＴＥシステムにおけるＰＵＣＣＨに対する上りリンク電力制御関連式である。
【００９４】
【数３】
0006362707.tif 000061
【００９５】
上記の式３で、
【化５４】
0006362707.tif 000062
は、サブフレームインデックスであり、
【化５５】
0006362707.tif 000063
は、セル（ｃｅｌｌ）インデックスである。端末が２つのアンテナポート上でＰＵＣＣＨを送信するように上位層によって設定されていると、
【化５６】
0006362707.tif 000064
の値は上位層によって端末に提供され、それ以外の場合には０である。以下に説明するパラメータは、セルインデックス
【化５７】
0006362707.tif 000065
のサービングセルに関するものである。
【００９６】
ここで、
【化５８】
0006362707.tif 000066
は、端末の送信可能な最大電力を表し、
【化５９】
0006362707.tif 000067
は、セル−特定（ｃｅｌｌ−ｓｐｅｃｉｆｉｃ）パラメータの和で構成されたパラメータであって、基地局が上位層シグナリングで知らせ、
【化６０】
0006362707.tif 000068
は、端末がｄＢ単位で計算した下りリンク経路損失（又は、信号損失）推定値であり、
【化６１】
0006362707.tif 000069
＝ｒｅｆｅｒｅｎｃｅＳｉｇｎａｌＰｏｗｅｒ−ｈｉｇｈｅｒ  ｌａｙｅｒ  ｆｉｌｔｅｒｅｄＲＳＲＰと表現される。
【化６２】
0006362707.tif 000070
は、ＰＵＣＣＨフォーマットによって異なってくる値であり、
【化６３】
0006362707.tif 000071
は、チャネル品質情報（ＣＱＩ）に対する情報ビットの数であり、
【化６４】
0006362707.tif 000072
は、ＨＡＲＱビットの数を表す。
【化６５】
0006362707.tif 000073
値は、ＰＵＣＣＨフォーマット１ａに対して相対的な値であり、ＰＵＣＣＨフォーマット＃Ｆに対応する値で基地局が上位層シグナリングを用いて知らせる値である。
【化６６】
0006362707.tif 000074
は、インデックス
【化６７】
0006362707.tif 000075
サブフレームの現在のＰＵＣＣＨ電力制御調整ステート（ａｄｊｕｓｔｍｅｎｔ  ｓｔａｔｅ）を表す。
【００９７】
【化６８】
0006362707.tif 000076
値が上位層で変更されるとき、
【化６９】
0006362707.tif 000077
であり、そうでないと、
【化７０】
0006362707.tif 000078
である。
【化７１】
0006362707.tif 000079
は、ランダムアクセス応答で示すＴＰＣ命令（ｃｏｍｍａｎｄ）であり、
【化７２】
0006362707.tif 000080
は、上位層で提供する最初から最後のプリアンブルまでの総電力ランプ−アップ（ｒａｍｐ−ｕｐ）に該当する。
【００９８】
プライマリセルにおける送信最大電力
【化７３】
0006362707.tif 000081
に到達すると、プライマリセルに対して正（ｐｏｓｉｔｉｖｅ）のＴＰＣ命令が蓄積されない。一方、端末が最低電力に到達すると、負（ｎｅｇａｔｉｖｅ）のＴＰＣ命令が蓄積されない。端末は、
【化７４】
0006362707.tif 000082
値が上位層によって変更されたり、ランダムアクセス応答メッセージを受信するとき、蓄積（ａｃｃｕｍｕｌａｔｉｏｎ）をリセットする。
【００９９】
一方、次の表５及び表６は、ＤＣＩフォーマットにおけるＴＰＣ命令フィールドが示す
【化７５】
0006362707.tif 000083
値を表す。特に、表５は、ＤＣＩフォーマット３Ａ以外のＤＣＩで示す
【化７６】
0006362707.tif 000084
値であり、表６は、ＤＣＩフォーマット３Ａで示す
【化７７】
0006362707.tif 000085
値である。
【０１００】
【表５】
0006362707.tif 000086
【０１０１】
【表６】
0006362707.tif 000087
【０１０２】
次の式４は、ＬＴＥシステムにおけるサウンディング参照信号（ＳＲＳ）の電力制御関連式である。
【０１０３】
【数４】
0006362707.tif 000088
【０１０４】
上記の式４で、
【化７８】
0006362707.tif 000089
は、サブフレームインデックスであり、
【化７９】
0006362707.tif 000090
は、セル（ｃｅｌｌ）インデックスである。ここで、
【化８０】
0006362707.tif 000091
は、端末の送信可能な最大電力を表し、
【化８１】
0006362707.tif 000092
は上位層で設定される値であり、
【化８２】
0006362707.tif 000093
が０である場合は周期的（ｐｅｒｉｏｄｉｃ）サウンディング参照信号を、
【化８３】
0006362707.tif 000094
が０である場合は非周期的（ａｐｅｒｉｏｄｉｃ）サウンディング参照信号を送信する場合に対応する。
【化８４】
0006362707.tif 000095
は、サービングセル
【化８５】
0006362707.tif 000096
のサブフレームインデックス
【化８６】
0006362707.tif 000097
上のサウンディング参照信号帯域幅であり、リソースブロックの個数で表現される。
【０１０５】
【化８７】
0006362707.tif 000098
は、サービングセル
【化８８】
0006362707.tif 000099
のサブフレームインデックス
【化８９】
0006362707.tif 000100
に対して現在のＰＵＳＣＨ電力制御調整状態を示す値であり、
【化９０】
0006362707.tif 000101
も、上記の式１及び２で説明したとおりである。
【０１０６】
以下、サウンディング参照信号について説明する。
【０１０７】
サウンディング参照信号は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスで構成され、複数の端末から送信されたサウンディング参照信号は、下記の式５による、互いに異なる循環遷移（ｃｙｃｌｉｃ  ｓｈｉｆｔ）値
【化９１】
0006362707.tif 000102
を有するＣＡＺＡＣシーケンス
【化９２】
0006362707.tif 000103
である。
【０１０８】
【数５】
0006362707.tif 000104
【０１０９】
ここで、
【化９３】
0006362707.tif 000105
は、上位層によって各端末に設定される値であり、０乃至７の整数値を有する。このため、循環遷移値は、
【化９４】
0006362707.tif 000106
によって８個の値を有することができる。
【０１１０】
一つのＣＡＺＡＣシーケンスから循環遷移によって生成されたＣＡＺＡＣシーケンスは、それぞれ、自身と異なる環遷移値を有するシーケンスと零の相関値（ｚｅｒｏ−ｃｏｒｒｅｌａｔｉｏｎ）を有する特性がある。このような特性を用いて、同一周波数領域のサウンディング参照信号をＣＡＺＡＣシーケンス循環遷移値によって区別することができる。各端末のサウンディング参照信号は、基地局で設定するパラメータによって周波数上に割り当てられる。端末は、上りリンクデータ送信帯域幅の全体を通じてサウンディング参照信号を送信できるように、サウンディング参照信号の周波数跳躍を行う。
【０１１１】
以下では、ＬＴＥシステムでサウンディング参照信号を送信するための物理リソースをマップする具体的な方法について説明する。
【０１１２】
サウンディング参照信号シーケンス
【化９５】
0006362707.tif 000107
は、まず、端末の送信電力
【化９６】
0006362707.tif 000108
を満たすために、振幅スケーリング因子
【化９７】
0006362707.tif 000109
が掛けられた後、インデックス
【化９８】
0006362707.tif 000110
のリソース要素（Ｒｅｓｏｕｒｃｅ  Ｅｌｅｍｅｎｔ；ＲＥ）に、
【化９９】
0006362707.tif 000111
から順に、下記の式６によってマップされる。
【０１１３】
【数６】
0006362707.tif 000112
【０１１４】
ここで、
【化１００】
0006362707.tif 000113
は、サウンディング参照信号の周波数領域開始地点を表し、下記の式７のように定義される。
【０１１５】
【数７】
0006362707.tif 000114
【０１１６】
ただし、
【化１０１】
0006362707.tif 000115
は、周波数位置インデックスを表す。また、一般的な上りリンクサブフレームのための
【化１０２】
0006362707.tif 000116
は、下記の式８のように定義され、上りリンクパイロットタイムスロット（ＵｐＰＴＳ）のための
【化１０３】
0006362707.tif 000117
は、下記の式９のように定義される。
【０１１７】
【数８】
0006362707.tif 000118
【０１１８】
【数９】
0006362707.tif 000119
【０１１９】
式８及び式９で、
【化１０４】
0006362707.tif 000120
は、上位層を通して端末にシグナルされる送信コム（ｔｒａｎｓｍｉｓｓｉｏｎ  Ｃｏｍｂ）パラメータであり、０又は１の値を有する。また、
【化１０５】
0006362707.tif 000121
は、第１ハーフフレーム（ｈａｌｆ  ｆｒａｍｅ）の上りリンクパイロットタイムスロットでは０であり、第２ハーフフレームの上りリンクパイロットタイムスロットでは０である。
【化１０６】
0006362707.tif 000122
は、下記の式１０のように定義された、副搬送波単位で表現されたサウンディング参照信号シーケンスの長さ、すなわち、帯域幅である。
【０１２０】
【数１０】
0006362707.tif 000123
【０１２１】
式１０で、
【化１０７】
0006362707.tif 000124
は、上りリンク帯域幅
【化１０８】
0006362707.tif 000125
によって基地局からシグナルされる値である。
【０１２２】
上りリンクデータ送信帯域幅全体を通じてサウンディング参照信号を送信できるように、端末はサウンディング参照信号の周波数跳躍（ｆｒｅｑｕｅｎｃｙ  ｈｏｐｐｉｎｇ）を行うことができ、このような周波数跳躍は、上位層から与えられた０乃至３の値を有するパラメータ
【化１０９】
0006362707.tif 000126
によって設定される。
【０１２３】
サウンディング参照信号の周波数跳躍が非活性化された場合、すなわち、
【化１１０】
0006362707.tif 000127
の場合、周波数位置インデックス
【化１１１】
0006362707.tif 000128
は、下記の式１１のように一定の値を有する。ここで、
【化１１２】
0006362707.tif 000129
は、上位層で与えられるパラメータである。
【０１２４】
【数１１】
0006362707.tif 000130
【０１２５】
一方、サウンディング参照信号の周波数跳躍が活性化された場合、すなわち、
【化１１３】
0006362707.tif 000131
の場合、周波数位置インデックス
【化１１４】
0006362707.tif 000132
は、下記の式１２及び式１３によって定義される。
【０１２６】
【数１２】
0006362707.tif 000133
【０１２７】
【数１３】
0006362707.tif 000134
【０１２８】
ここで、
【化１１５】
0006362707.tif 000135
は、サウンディング参照信号を送信した回数を計算するパラメータであり、下記の式１４による。
【０１２９】
【数１４】
0006362707.tif 000136
【０１３０】
式１４で、
【化１１６】
0006362707.tif 000137
は、サウンディング参照信号の周期であり、
【化１１７】
0006362707.tif 000138
は、サウンディング参照信号のサブフレームオフセットを表す。また、
【化１１８】
0006362707.tif 000139
はスロット番号、
【化１１９】
0006362707.tif 000140
はフレーム番号を表す。
【０１３１】
サウンディング参照信号の周期
【化１２０】
0006362707.tif 000141
とサブフレームオフセット
【化１２１】
0006362707.tif 000142
を設定するためのサウンディング参照信号設定インデックス
【化１２２】
0006362707.tif 000143
は、ＦＤＤシステムかＴＤＤシステムかによって、下記の表７乃至表１０のように定義される。特に、表７はＦＤＤシステムである場合、表８はＴＤＤシステムである場合を示す。また、下記の表７及び表８は、トリガリングタイプ０、すなわち、周期的ＳＲＳに関する周期とオフセット情報である。
【０１３２】
【表７】
0006362707.tif 000144
【０１３３】
【表８】
0006362707.tif 000145
【０１３４】
一方、前記周期的ＳＲＳの場合、ＦＤＤシステム或いは前記表８において、ＴＳＲＳ＞２であるＴＤＤシステムでは、下記の式１５を満足するサブフレームで送信が行われる。ただし、式１５において、ＦＤＤシステムの場合はｋＳＲＳ＝｛０，１，…，９｝で、ＴＤＤシステムの場合は、ｋＳＲＳは下記の表９によって決定される。
【０１３５】
【数１５】
0006362707.tif 000146
【０１３６】
【表９】
0006362707.tif 000147
【０１３７】
また、前記表８において、ＴＳＲＳ＝２であるＴＤＤシステムでは、下記の式１６を満足するサブフレームで送信が行われる。
【０１３８】
【数１６】
0006362707.tif 000148
【０１３９】
下記の表１０及び表１１は、トリガリングタイプ１、すなわち、非周期的ＳＲＳに関する周期とオフセット情報を示す。特に、表１０はＦＤＤシステムの場合を示し、表１１はＴＤＤシステムの場合を示す。
【０１４０】
【表１０】
0006362707.tif 000149
【０１４１】
【表１１】
0006362707.tif 000150
【０１４２】
一方、サブフレーム＃ｎにおいて、前記非周期的ＳＲＳのトリガリングビットを検出する場合、サブフレームインデックス＃ｎ＋ｋ（ただし、ｋ≧４）以後、下記の式１７又は式１８を満足する１番目のサブフレームで前記トリガリングビットに対応する非周期的ＳＲＳが送信される。特に、下記の式１７は、ＦＤＤシステム或いは前記表１１においてＴＳＲＳ＞２であるＴＤＤシステムのためのものであり、下記の式１８は、前記表１１においてＴＳＲＳ＝２であるＴＤＤシステムのためのものである。ただし、式１７において、ＦＤＤシステムの場合はｋＳＲＳ＝｛０，１，…，９｝で、ＴＤＤシステムの場合、ｋＳＲＳは前記表９によって決定される。
【０１４３】
【数１７】
0006362707.tif 000151
【０１４４】
【数１８】
0006362707.tif 000152
【０１４５】
３Ｄ−ＭＩＭＯ／ＦＤ−ＭＩＭＯ
【０１４６】
能動アンテナシステム（Ａｃｔｉｖｅ  Ａｎｔｅｎｎａ  Ｓｙｓｔｅｍ、ＡＡＳ）の導入が論議されている。ＡＡＳは、それぞれのアンテナが能動回路を含む能動アンテナで構成されている。ＡＡＳアンテナシステムは、チャネル状態によって使用されるアンテナのパターンを変更し、干渉を低減したり、又はより効率的にビームフォーミングを行うことができる。
【０１４７】
図８は、本発明の一実施例に係るアンテナアレイを示す。図８では６４個のアンテナ素子を有する２Ｄ−ＡＡＳが例示されるが、本発明はこれに限定されない。
【０１４８】
ＡＡＳが２次元で構成される場合（ｅ．ｇ．，２Ｄ−ＡＡＳ）、アンテナパターンの変更によってアンテナのメインローブ（ｍａｉｎ  ｌｏｂｅ）を３次元に調節することができ、受信端の位置に適応的に送信ビームを設定することができる。図８に示したように、２Ｄ−ＡＡＳのアンテナを垂直方向と水平方向に設置し、大規模のアンテナシステムを構築することができる。
【０１４９】
２Ｄ−ＡＡＳシステムにおいて、送信端は、送信端から受信端までのチャネルを受信端に知らせるためにＲＳを送信しなければならない。ＲＳは、ＣＲＳ（Ｃｅｌｌ−Ｓｐｅｃｉｆｉｃ  Ｒｅｆｅｒｅｎｃｅ  Ｓｉｇｎａｌ）又はＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を例示することができ、本発明はこれに限定されない。
【０１５０】
現在のＬＴＥシステムでは、１−アンテナポート、２−アンテナポート、４−アンテナポート、又は８−アンテナポートのＣＳＩ−ＲＳ送信が支援される。ｎ＞１であるｎ−アンテナポートに対するＣＳＩ−ＲＳを送信するにおいて、一つのＲＢごとにｎ個のＲＥが使用される。２Ｄ−ＡＡＳで垂直方向に８個のアンテナが、水平方向に８個のアンテナがあり、全体６４個のアンテナがある場合、既存の方式では一つのＲＢに６４個のＲＥがＣＳＩ−ＲＳのために使用されなければならない。よって、２Ｄ−ＡＡＳシステムでは、アンテナの個数の増加によるＣＳＩ−ＲＳオーバーヘッド（ｅ．ｇ．，ＣＳＩ−ＲＳ  ＲＥの増加）が問題になり得る。
【０１５１】
ＣＳＩ−ＲＳオーバーヘッド増加の問題を解決するために、一部のＣＳＩ−ＲＳポートのみを用いて残りのポートに対するチャネルまで推定する方法を考慮することができる。例えば、送信端（ｅ．ｇ．，２Ｄ−ＡＡＳ）から受信端までのチャネルは、式１９のようにクロネッカー積（ｋｒｏｎｅｃｋｅｒ  ｐｒｏｄｕｃｔ）を用いて推定することができ、これに限定されることはない。
【０１５２】
【数１９】
0006362707.tif 000153
【０１５３】
式１９において、Ｈは、送信端から受信端までの全体のチャネルを意味し、ＨＴ（ｊ）は、送信端においてｊ番目の受信アンテナまでのチャネルを意味する。Ｈｖ（ｊ）とＨＨ（ｊ）は、それぞれ垂直方向と水平方向のアンテナアレイにおいて受信端のｊ番目のアンテナで送信されるチャネルを意味する。ＮＲは、受信端の全体のアンテナの個数を意味する。
【０１５４】
例えば、図８において、Ｈｖ（ｊ）は、Ａブロックのアンテナのみが存在するという仮定の下で、Ａブロックアンテナから受信端のｊ番目のアンテナまでのチャネルを意味し、ＨＨ（ｊ）は、Ｂブロックのアンテナのみが存在するという仮定の下で、Ｂブロックのアンテナから受信端のｊ番目のアンテナまでのチャネルを意味する。説明の便宜上、任意の１個の受信アンテナの立場で説明したが、後述する各実施例は、多数の受信アンテナにも適用可能である。以下では、送信端から任意の１個の受信アンテナまでのチャネルのみを用いて説明する。したがって、受信アンテナのインデックスｊは省略される。
【０１５５】
【数２０】
0006362707.tif 000154
【０１５６】
式２０は、本発明の説明のための式であり、実際にチャネルが式２０の通りでないとしても、本発明の各実施例が適用可能である。
【０１５７】
本発明の一実施例によると、図８のＡブロックのように垂直方向にＮＶ個のアンテナポートを有するＣＳＩ−ＲＳと、Ｂブロックのように水平方向にＮＨ個のアンテナポートを有するＣＳＩ−ＲＳとを設定し、合計２個のＣＳＩ−ＲＳを設定する方案を考慮することができる。
【０１５８】
受信端は、２個のＣＳＩ−ＲＳを受信及び測定した後、２個のチャネル行列に対して式２０のようにクロネッカー積（Ｋｒｏｎｅｃｋｅｒ  ｐｒｏｄｕｃｔ）を行うことによってチャネルを推定することができる。本実施例によると、既存の２、４、８ポートを有するＣＳＩ−ＲＳを通じて受信端が最大６４ポートに対するチャネルを推定できるという長所がある。例えば、水平方向の８−アンテナポートを介してＣＳＩ−ＲＳが送信され、垂直方向の８−アンテナポートを介してＣＳＩ−ＲＳが送信されるとき、式２０に基づいて最大６４アンテナポートに対するチャネルを推定することができる。
【０１５９】
図９は、本発明の一実施例で使用可能な交差偏波（Ｃｒｏｓｓ−ｐｏｌａｒｉｚｅｄ）アンテナアレイを示す。図８に示した主偏波（ｃｏ−ｐｏｌａｒｉｚｅｄ）アンテナアレイの代わりに、図９のような交差偏波アンテナアレイ（以下、Ｘ−ｐｏｌ  ＡＡ）を使用することもできる。
【０１６０】
図１０は、本発明の一実施例に係る６４  Ｘ−Ｐｏｌアンテナアレイにおける垂直及び水平アンテナ素子を示す。
【０１６１】
本発明の実施例に係るＳＲＳ送受信方法
【０１６２】
上述した論議に基づいて本発明の各実施例に係るＳＲＳ送受信方法を説明する。
【０１６３】
●ＳＲＳ送信リソース
【０１６４】
３Ｄ−ＭＩＭＯを支援する無線通信システムの場合、下りリンクアンテナ素子（ｄｏｗｎｌｉｎｋ  ａｎｔｅｎｎａ  ｅｌｅｍｅｎｔ）の個数が増加するので、全ての下りリンクアンテナ素子（又は下りリンクアンテナポート）がＣＳＩ（Ｃｈａｎｎｅｌ  Ｓｔａｔｅ  Ｉｎｆｏｒｍａｔｉｏｎ）フィードバックのためのＲＳを送信する場合、ＲＳのオーバーヘッドが過度に増加し得る。
【０１６５】
一方、ＴＤＤシステムの場合、下りリンク送受信と上りリンク送受信とが同一の周波数を通じて行われるので、チャネル互恵性（ｃｈａｎｎｅｌ  ｒｅｃｉｐｒｏｃｉｔｙ）を用いると、上りリンクＲＳ、例えば、ＳＲＳを介して下りリンクチャネルを推定することができる。このようにＳＲＳを用いることによって、下りリンクアンテナ素子の増加による下りリンクＲＳのオーバーヘッド増加の問題を解決することができる。
【０１６６】
しかし、端末の送信アンテナの個数（ｅ．ｇ．，上りリンクアンテナ素子又は上りリンクアンテナポート）が増加すると、ＳＲＳ送信に必要なリソースも増加する必要がある。
【０１６７】
例えば、３Ｄ−ＭＩＭＯを支援するシステムでは、ＭＵ（ｍｕｌｔｉ−ｕｓｅｒ）ＭＩＭＯペアリングが行われるユーザの数を増加させる方式でセルスループット（ｃｅｌｌ  ｔｈｒｏｕｇｈｐｕｔ）が増加し得る。ＳＲＳ送信及びチャネル互恵性（ｃｈａｎｎｅｌ  ｒｅｃｉｐｒｏｃｉｔｙ）をベースにして下りリンクチャネルのＣＳＩを推定する方式の場合、ＭＵ−ペアリングが行われる各端末に対してより正確に下りリンクチャネルを推定するためにはＳＲＳを同時に送信する各端末の個数を増加させる必要がある。これは、互いに異なる時間に送信された各ＳＲＳを通じて各端末に対するＭＵ−ペアリングを行う場合、同時に送信されたＳＲＳを通じて各端末に対するＭＵ−ペアリングを行う場合に比べて最適なＭＵ−ペアリング結果を得ることが難しいためである（ｅ．ｇ．，端末の移動性などを考慮するとき）。
【０１６８】
上述したように、既存のＬＴＥシステムによると、一般的な上りリンクサブフレームで１個のＳＣ−ＦＤＭＡシンボル（ｅ．ｇ．，一番最後のシンボル）を通じてＳＲＳが送信された。一つの端末が一つのＵＬアンテナを介してＳＲＳを送信すると仮定すると、８個の循環遷移（ｃｙｃｌｉｃ  ｓｈｉｆｔ）値及び２個のＴＣ（Ｔｒａｎｓｍｉｓｓｉｏｎ  Ｃｏｍｂ）をベースにして最大１６個の端末のＳＲＳを多重化することができた。
【０１６９】
しかし、一つの端末が多数のアンテナを有し、多数のアンテナを介してＳＲＳを送信する場合、ＳＲＳ多重化容量の減少によって３Ｄ−ＭＩＭＯ性能が劣化し得る。既存のシステムのようなＳＲＳシンボルの個数、循環遷移の個数及びＴＣ個数の下で、一つの端末がｎ個のアンテナを介して同時にＳＲＳを送信する場合、ＳＲＳ多重化容量は既存のシステムに比べて１／ｎに減少する。例えば、４個の送信アンテナを有する端末が４個の送信アンテナを介して同時にＳＲＳを送信する場合、最大４個の端末のＳＲＳを多重化することができる。
【０１７０】
このような問題を解決するために、ＳＲＳ送信の多重化容量又はＳＲＳリソースを増加させる多様な実施例を説明する。以下で説明する各実施例のインデックスは、説明の便宜のために与えられたものに過ぎなく、各実施例別に必ずしも異なる発明を構成することはない。よって、互いに異なる実施例を同時に適用することもできる。
【０１７１】
（１）ＳＲＳを送信するＳＣ−ＦＤＭＡシンボルの個数を増加させる方案
【０１７２】
本発明の一実施例によると、ＳＲＳが実際に送信されたり、又はＳＲＳが送信に使用可能なＳＣ−ＦＤＭＡシンボル（ｅ．ｇ．，以下、ＳＲＳシンボル）の個数が増加し得る。例えば、一般の上りリンクサブフレームにおいて１個のＳＣ−ＦＤＭＡシンボルがＳＲＳ送信にさらに割り当てられると、ＳＲＳシンボルの個数は２個になる。よって、該当の上りリンクサブフレームにおいてＳＲＳ送信リソースが２倍に増加する。これと同様に、ＴＤＤの特別サブフレーム（ｅ．ｇ．，ＵｐＰＴＳ）においてＳＣ−ＦＤＭＡシンボルをＳＲＳ送信にさらに割り当てることができる。例えば、ＵｐＰＴＳでは、１個又は２個のシンボルに加えて、ｎ個のシンボルをさらに割り当てることもできる。具体的に、ＵｐＰＴＳに２個又は４個の追加的なシンボルを割り当てることができる。ＵｐＰＴＳに追加された各シンボルは、全て同一の端末に割り当てることもできるが、追加された各シンボルのうち一部のみを一つの端末に割り当てることもできる。ＵｐＰＴＳに追加された各シンボルは、全てＳＲＳ送信に用いられてもよく、一部のみがＳＲＳ送信に用いられてもよい。
【０１７３】
このように、基地局は、ＳＲＳ送信に使用可能な追加的なシンボルを端末に割り当てることができ、基地局は、追加的なシンボルに対する情報（ｅ．ｇ．，追加的なシンボルの個数）を端末にシグナルすることができる（ｅ．ｇ．，ＲＲＣシグナリング）。
【０１７４】
ＬＴＥシステムでは、ＰＵＣＣＨ送信がスケジュールされた一般的な上りリンクサブフレームにおいてＳＲＳを送信する方案として、上りリンクサブフレームの２番目のスロットには短縮されたＰＵＣＣＨフォーマットが使用された。例えば、端末は、上りリンクサブフレームの１番目のスロットでは一般的なＰＵＣＣＨフォーマットを使用し、２番目のスロットでは短縮されたＰＵＣＣＨフォーマットを使用することによって、２番目のスロットの一番最後のシンボルでＳＲＳを送信した。図１１ａは、一般ＣＰのための短縮されたＰＵＣＣＨフォーマット１ｘを示し、図１２ａは、一般ＣＰのための短縮されたＰＵＣＣＨフォーマット３を示す。図１１ａ及び図１２ａに示したように、短縮されたＰＵＣＣＨフォーマットの最後の１シンボルはＳＲＳ送信に割り当てられる。このように、既存のシステムでは、上りリンクサブフレーム当たりに１  ＳＲＳシンボルが存在した。
【０１７５】
本発明の一実施例によってＳＲＳ送信に使用可能な追加的なシンボルが割り当てられる場合、追加的なＳＲＳシンボルの位置が選択されなければならない。追加的なＳＲＳシンボルの位置を選択するにおいて、ＨＡＲＱ−ＡＣＫ送信のためのＰＵＣＣＨフォーマット１ａ／１ｂ／３のＲＳ（ｅ．ｇ．，ＤＭＲＳ）に該当するシンボル（ｅ．ｇ．，ＤＭＲＳシンボル）の位置は除外されることが好ましい。これは、ＤＭＲＳシンボル位置で追加的なＳＲＳが送信されると、ＨＡＲＱ−ＡＣＫ復調のためのＤＭＲＳがパンクチャされるので、ＨＡＲＱ−ＡＣＫ検出性能が劣化するためである。
【０１７６】
ＳＲＳ送信に使用可能な追加的なシンボルに対する情報は、Ｌ１／ＭＡＣ／ＲＲＣシグナリングを通じて端末に提供することができる。また、追加的なシンボルの位置はサブフレーム内で固定することもできる。
【０１７７】
追加的なＳＲＳシンボルとＨＡＲＱ−ＡＣＫを同時に送信するために、新しいＰＵＣＣＨフォーマットを定義することができる。図１１ｂ及び図１２ｂは、本発明の一実施例に係る短縮されたＰＵＣＣＨフォーマットを示す。図１１ｂの短縮されたＰＵＣＣＨフォーマットは、図１１ａの短縮されたＰＵＣＣＨフォーマットのミラーリング構造を有し、図１２ｂの短縮されたＰＵＣＣＨフォーマットは、図１２ａの短縮されたＰＵＣＣＨフォーマットのミラーリング構造を有する。
【０１７８】
図１１ｂを参照すると、特定スロットの１番目のＳＣ−ＦＤＭＡシンボルがＳＲＳ送信に割り当てられる。特定スロットは、２番目のスロット又は１番目のスロットであり得る。本発明の一実施例によると、図１１ａの短縮されたＰＵＣＣＨフォーマットと図１１ｂの短縮されたＰＵＣＣＨフォーマットをそれぞれ互いに異なるスロットにマップすることは可能である。しかし、図１１ａの短縮されたＰＵＣＣＨフォーマットと図１１ｂの短縮されたＰＵＣＣＨフォーマットは、同一のＰＲＢでは多重化できない。これは、図１１ａ及び図１１ｂの短縮されたＰＵＣＣＨフォーマットにおいて、ＨＡＲＱ−ＡＣＫデータとＤＭＲＳは長さ３の直交カバー（ｏｒｔｈｏｇｏｎａｌ  ｃｏｖｅｒ）で符号分割多重化（ＣＤＭ）されるが、ＳＲＳシンボルの位置が異なる形に設定されるので、図１１ａ及び図１１ｂの短縮されたＰＵＣＣＨフォーマット間の直交性が損失されるためである。よって、図１１ｂの短縮されたＰＵＣＣＨフォーマットのリソースと図１１ａの短縮されたＰＵＣＣＨフォーマットのリソースとを区分できる方案を使用することができる。
【０１７９】
他の実施例によると、追加的なＳＲＳの送信とＨＡＲＱ−ＡＣＫの送信とが同一のサブフレームで発生する場合、追加的なＳＲＳの送信がドロップされ得る。よって、端末は、ＨＡＲＱ−ＡＣＫとＳＲＳを同時に送信しない場合に、追加的に割り当てられたシンボルでＳＲＳを送信することができる。
【０１８０】
（２）ＳＲＳのＴＣ（Ｔｒａｎｓｍｉｓｓｉｏｎ  Ｃｏｍｂ）の個数を増加させる方案
【０１８１】
本発明の一実施例によると、ＳＲＳが送信されるＰＲＢで可用な送信コム（Ｔｒａｎｓｍｉｓｓｉｏｎ  Ｃｏｍｂ、ＴＣ、又は周波数コム）の個数が増加する場合もある。既存のＬＴＥシステムでは、ＳＲＳ送信に合計２個の送信コム（ｅ．ｇ．，ｃｏｍｂ  ０、ｃｏｍｂ  １）が使用された。例えば、端末１が２個のＴＣのうちいずれか一つを通じてＳＲＳを送信し、端末２が他のＴＣを通じてＳＲＳを送信する場合、端末１と端末２が同時にＳＲＳを送信するとしても、端末１のＳＲＳと端末２のＳＲＳは周波数軸上で互いに異なるサブキャリアにマップされる（ｅ．ｇ．，周波数多重化）。具体的に、ＳＲＳがマップされるＲＥのインデックスを（ｋ，ｌ）とするとき（ｅ．ｇ．，ｋはサブキャリアインデックスで、ｌはＳＣ−ＦＤＭＡシンボルインデックスである)、端末１は、ｋが偶数である各ＲＥを通じてＳＲＳを送信し、端末２は、ｋが奇数である各ＲＥを通じてＳＲＳを送信する。このように、ＰＲＢ内で２ＲＥ単位でＳＲＳがマップされるので、ＰＲＢが１２サブキャリアを含むとき、一つの端末はＰＲＢ当たりに６ＲＥｓでＳＲＳを送信する。
【０１８２】
本発明の一実施例によると、ＳＲＳに対して最大４個の送信コムを支援することができる（ｅ．ｇ．，ｃｏｍｂ  ０〜ｃｏｍｂ  ３）。よって、一つのシンボルに対するＳＲＳ多重化容量が２倍に増加する。４個の送信コムが支援される場合、ＰＲＢ内で４ＲＥｓ単位でＳＲＳがマップされる。一つの端末は、４ＲＥｓごとに一つのＲＥを通じてＳＲＳを送信する。４ＲＥｓのうち残りの３ＲＥｓでは、他の３個の端末がＳＲＳを送信することができる。
【０１８３】
一つの端末は合計４個の送信コム（ｅ．ｇ．，ｃｏｍｂ  ０〜ｃｏｍｂ  ３）のうち一つの設定を受けることができる。よって、基地局は、追加的なビットを送信することによって、端末にいずれか一つの送信コムを設定することができる。送信コムを指示する追加的なビットは、ＲＲＣシグナリングを通じて送信することができる。
【０１８４】
一方、ＳＲＳ帯域幅が小さい場合、チャネル推定に使用可能なＳＲＳ  ＲＥｓの総数が減少するので、チャネル推定性能が劣化し得る。最大２個の送信コムを支援するＳＲＳ（以下、２−ＴＣ  ＳＲＳ）が送信されるＰＲＢでは、最大４個の送信コムを支援するＳＲＳ（以下、４−ＴＣ  ＳＲＳ）の送信を禁止することができる。例えば、同一のＰＲＢでは２−ＴＣ  ＳＲＳと４−ＴＣ  ＳＲＳを多重化できない。２−ＴＣ  ＳＲＳは、該当のＰＲＢで２ＲＥ単位でマップされ、ＰＲＢ当たりに６ＲＥｓが２−ＴＣ  ＳＲＳに使用されるが、４−ＴＣ  ＳＲＳは、４ＲＥ単位でマップされ、ＰＲＢ当たりに３ＲＥｓが４−ＴＣ  ＳＲＳに使用される。よって、２−ＴＣ  ＳＲＳと４−ＴＣ  ＳＲＳとの間の直交性が損失される。
【０１８５】
このような問題を解決するために、本発明の一実施例によると、２−ＴＣ  ＳＲＳと４−ＴＣ  ＳＲＳのそれぞれに対して互いに異なる時間リソース（ｅ．ｇ．，サブフレーム）を割り当てることができる。例えば、基地局は、端末特定のＳＲＳサブフレームを設定するにおいて、２−ＴＣ  ＳＲＳと４−ＴＣ  ＳＲＳが送信される各サブフレームを互いに異なる形に設定することができる。よって、２−ＴＣ  ＳＲＳと４−ＴＣ  ＳＲＳは時間軸上で多重化することができる。
【０１８６】
更に他の実施例によると、２−ＴＣ  ＳＲＳが送信されるＳＲＳ帯域と４−ＴＣ  ＳＲＳが送信される帯域とが異なる形に設定されることによって、互いに多重化される場合もある。例えば、ＳＲＳ周波数ホッピングが活性化される場合、２−ＴＣ  ＳＲＳと４−ＴＣ  ＳＲＳは同一のＳＲＳ帯域上で送信されないように２−ＴＣ  ＳＲＳと４−ＴＣ  ＳＲＳの周波数ホッピングパターンを設定することもできる。
【０１８７】
ＴＤＤ特別サブフレーム（ｓｐｅｃｉａｌ  ｓｕｂｆｒａｍｅ）のＵｐＰＴＳでは多数のシンボルをＳＲＳ送信に用いることもできる。例えば、端末は、ＵｐＰＴＳの１シンボルを通じてＳＲＳを送信することもでき、２シンボルを通じてＳＲＳを送信することもできる。
【０１８８】
本発明の一実施例によると、４−ＴＣ  ＳＲＳは、ＵｐＰＴＳに多数のシンボル（ｅ．ｇ．，ＳＲＳ送信に使用可能な多数のシンボル）が設定される場合に送信することもできる。ＵｐＰＴＳが一つのＳＲＳシンボルのみを含む場合、該当のＵｐＰＴＳでは、４−ＴＣ  ＳＲＳでなく２−ＴＣ  ＳＲＳが支援されるように設定することもできる。これと異なり、ＵｐＰＴＳが多数のシンボルを含む場合は、４−ＴＣ  ＳＲＳ送信を許容することができる。ただし、ＵｐＰＴＳが多数のＳＲＳシンボルを含むとしても、２−ＴＣ  ＳＲＳ送信が禁止されるわけではない。例えば、ＵｐＰＴＳの多数のシンボルは４−ＴＣ  ＳＲＳ送信に使用することができる。これと異なり、ＵｐＰＴＳの多数のシンボルは２−ＴＣ  ＳＲＳ送信にも使用することができる。ただし、４−ＴＣ  ＳＲＳと２−ＴＣ  ＳＲＳは同一のシンボルにはマップすることができない。
【０１８９】
本発明の一実施例によると、ＵｐＰＴＳが多数のシンボルを含むとき、一部のＳＲＳシンボルでは４−ＴＣ  ＳＲＳを送信し、残りの一部のＳＲＳシンボルでは２−ＴＣ  ＳＲＳを送信することができ、これに限定されることはない。例えば、ＵｐＰＴＳが２個のＳＲＳシンボルを含むとき、一つのＳＲＳシンボルは２−ＴＣ  ＳＲＳ送信に用い、他の一つのＳＲＳシンボルは４−ＴＣ  ＳＲＳ送信に用いることもできる。
【０１９０】
ＴＤＤの場合、上りリンクサブフレームの数が不足するので、ＳＲＳ送信のために特別サブフレームのＵｐＰＴＳを用いることが効率的である。ＵｐＰＴＳに各ＳＲＳシンボルが設定される場合、少なくとも一つのＳＲＳシンボルを通じて４−ＴＣ  ＳＲＳを送信することができる。このように４−ＴＣ  ＳＲＳを送信することによって、３Ｄ−ＭＩＭＯチャネルをより効率的に推定することができる。
【０１９１】
ＵｐＰＴＳに多数のＳＲＳシンボル（ｅ．ｇ．，２シンボル）が設定された場合、４−ＴＣ  ＳＲＳが送信されるＳＲＳシンボルの位置は固定されたり、又は４−ＴＣ  ＳＲＳが送信される各ＳＲＳシンボルに対する情報がＬ１／ＭＡＣ／ＲＲＣシグナリングを通じて端末に送信されることもある。
【０１９２】
●ＳＲＳ送信アンテナポート
【０１９３】
端末の受信アンテナの個数が２であるとしても、ＳＲＳ送信アンテナの個数は１に制限することができる。これは、ＳＲＳ送信アンテナの個数が増加すると、必要な電力増幅器（ｐｏｗｅｒ  ａｍｐｌｉｆｉｅｒ）の個数が増加し、端末の価格が増加し得るためである。
【０１９４】
３Ｄ−ＭＩＭＯを支援する端末の受信アンテナの個数が４である場合、電力増幅器の設置個数によってＳＲＳ送信アンテナの数を１、２又は４に可変することができる。
【０１９５】
端末の受信アンテナの数は４で、ＳＲＳ送信アンテナの数が１又は２であるとき、ＳＲＳを用いて下りリンクチャネルを推定すると、その推定性能が劣化し得る。これは、推定が必要な受信アンテナの数に比べてＳＲＳ送信アンテナの数が小さいためである。例えば、３Ｄ−ＭＩＭＯシステムで基地局が１６（＝４ｘ４）個の送信アンテナを使用し、端末の受信アンテナの数が４である場合、基地局は、４ｘ１６下りリンクチャネルに対する情報を推定しなければならない。ＳＲＳが２個の送信アンテナを介して送信されると、基地局は２ｘ１６下りリンクチャネルのみを推定できるので、下りリンク推定の性能が劣化する。
【０１９６】
このような問題を解決するために、本発明の一実施例によると、ＳＲＳ送信に使用される端末のＳＲＳ送信アンテナが時間の経過と共にスイッチされることによって、基地局が全体の下りリンクチャネルを推定することができる。
【０１９７】
ＳＲＳ送信周期が２ｍｓより大きく、端末の受信アンテナの数がＭ（Ｍ＞２）で、ＳＲＳ送信アンテナの数が１である場合、ＳＲＳ送信アンテナインデックスｓｒｓｐ（ｎ）は、式２１のように表現することができる。
【０１９８】
【数２１】
0006362707.tif 000155
【０１９９】
式２１において、ｎｆは、ＳＦＮ（ｓｙｓｔｅｍ  ｆｒａｍｅ  ｎｕｍｂｅｒ）で、ｎｓは、スロットナンバー（ｓｌｏｔ  ｎｕｍｂｅｒ）で、ＴＳＲＳは、端末特定のＳＲＳ送信周期である。
【０２００】
式２１によると、端末は、多数の送信アンテナのうちいずれか一つを介してＳＲＳを送信し、毎ＳＲＳ送信ごとにＳＲＳ送信に用いられるアンテナが順次変更される。
【０２０１】
ＳＲＳ送信周期が２ｍｓより大きく、端末の受信アンテナの数がＭ（Ｍ＞２）で、ＳＲＳ送信アンテナの数が２である場合、ＳＲＳ送信アンテナインデックスｓｒｓｐ（ｎ）及びｓｒｓｐ＋１（ｎ）は、式２２のように表現することができる。
【０２０２】
【数２２】
0006362707.tif 000156
【０２０３】
例えば、端末は、毎ＳＲＳ送信時点で２個のＳＲＳ送信アンテナを介してＳＲＳを送信する。２個のＳＲＳ送信アンテナは、毎ＳＲＳ送信ごとに順次変更することができる。
【０２０４】
図１３は、本発明の一実施例に係るＳＲＳ送受信方法の流れを示す。上述した内容と重複する説明は省略する。
【０２０５】
図１３を参照すると、基地局は、端末にＲＲＣシグナリングを通じてＳＲＳ送信のためのＳＲＳ設定情報を送信する（Ｓ１３０５）。ＳＲＳ設定情報は、周期的送信又は非周期的送信のためのものであり得る。ＳＲＳ設定情報は、端末専用ＲＲＣシグナリングを通じて送信することができる。ＳＲＳ設定情報は、４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を含むことができる。例えば、ＴＣ情報は、Ｃｏｍｂ  ０〜Ｃｏｍｂ  ３のうちいずれか一つを指示することができる。また、ＳＲＳ設定情報は、ＳＲＳ送信に使用可能な追加的なシンボルの情報を含むことができる。
【０２０６】
端末は、ＳＲＳ設定情報に基づいて４−ＴＣ  ＳＲＳを生成することができる。
【０２０７】
端末は、ＳＲＳ設定情報に基づいて４−ＴＣ  ＳＲＳをマップすることができる（Ｓ１３１０）。例えば、端末は、ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルに４−ＴＣ  ＳＲＳをマップすることができる。端末は、ＴＣ情報によって指示されたＴＣに基づいてＳＲＳシンボル上で４個のＲＥ当たりに１個のＲＥの単位で４−ＴＣ  ＳＲＳをマップすることができる。
【０２０８】
端末は、４−ＴＣ  ＳＲＳを送信する（Ｓ１３１５）。４−ＴＣ  ＳＲＳは、ＵｐＰＴＳを通じて送信することができる。ＵｐＰＴＳ内で４−ＴＣ  ＳＲＳがマップされるＳＲＳシンボルのインデックスは固定することができる。４−ＴＣ  ＳＲＳの送信は、ＵｐＰＴＳに多数のシンボルが設定される場合に支援することができる。例えば、ＵｐＰＴＳに一つのＳＲＳシンボルのみが設定されると、一つのＳＲＳシンボルは、４−ＴＣ  ＳＲＳでなく２−ＴＣ  ＳＲＳ送信に使用することもできる。２−ＴＣ  ＳＲＳが送信される上りリンクサブフレームでは、４−ＴＣ  ＳＲＳの送信が許容されない場合がある。
【０２０９】
４−ＴＣ  ＳＲＳは、端末の多数のアンテナポートのうち一つ又は２個を介して送信することができる。例えば、４−ＴＣ  ＳＲＳが一つのアンテナポートを介して送信される場合、一つのアンテナポートｓｒｓｐ（ｎ）は式２１に基づいて決定することができる。４−ＴＣ  ＳＲＳが２個のアンテナポートを介して送信される場合、２個のアンテナポートｓｒｓｐ（ｎ）及びｓｒｓｐ＋１（ｎ）は、式２２に基づいて決定することができる。
【０２１０】
図１４は、本発明の実施例に適用可能な基地局と端末を例示する。図１４に示した基地局及び端末は、上述した各実施例に係るＳＲＳ送受信動作を行うことができる。
【０２１１】
図１４を参照すると、無線通信システムは、基地局（ＢＳ）１１０及び端末（ＵＥ）１２０を含む。下りリンクにおいて、送信機は基地局１１０の一部で、受信機は端末１２０の一部である。上りリンクにおいて、送信機は端末１２０の一部で、受信機は基地局１１０の一部である。基地局１１０は、プロセッサ１１２、メモリ１１４及び無線周波数（ＲＦ）ユニット１１６を含む。プロセッサ１１２は、本発明で提案した手続及び／又は方法を具現するように構成することができる。メモリ１１４は、プロセッサ１１２と連結され、プロセッサ１１２の動作と関連する多様な情報を格納する。ＲＦユニット１１６は、プロセッサ１１２と連結され、無線信号を送信及び／又は受信する。端末１２０は、プロセッサ１２２、メモリ１２４及びＲＦユニット１２６を含む。プロセッサ１２２は、本発明で提案した手続及び／又は方法を具現するように構成することができる。メモリ１２４は、プロセッサ１２２と連結され、プロセッサ１２２の動作と関連する多様な情報を格納する。ＲＦユニット１２６は、プロセッサ１２２と連結され、無線信号を送信及び／又は受信する。基地局１１０及び／又は端末１２０は単一アンテナ又は多重アンテナを有することができる。
【０２１２】
以上で説明した各実施例は、本発明の構成要素と特徴が所定形態に結合されたものである。各構成要素又は特徴は、別途の明示的な言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の各実施例で説明する各動作の順序は変更可能である。いずれかの実施例の一部の構成や特徴は他の実施例に含ませることができ、又は、他の実施例の対応する構成又は特徴に取り替えることができる。特許請求の範囲で明示的な引用関係のない請求項を結合して実施例を構成したり、出願後の補正によって新しい請求項として含ませ得ることは自明である。
【０２１３】
本発明の各実施例は、主に端末と基地局との間のデータ送受信関係を中心に説明した。本文書で基地局によって行われると説明した特定動作は、場合によってはその上位ノード（ｕｐｐｅｒ  ｎｏｄｅ）によって行うことができる。すなわち、基地局を含む複数のネットワークノードからなるネットワークで端末との通信のために行われる多様な動作は、基地局又は基地局以外の他のネットワークノードによって行えることは自明である。「基地局」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に取り替えることができる。また、「端末」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えることができる。
【０２１４】
本発明に係る実施例は、多様な手段、例えば、ハードウェア、ファームウェア、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２１５】
ファームウェアやソフトウェアによる具現の場合、本発明の一実施例は、以上で説明した機能又は動作を行うモジュール、手続、関数などの形態に具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとデータをやり取りすることができる。
本明細書は、例えば、以下の項目も提供する。
（項目１）
ＴＤＤ（Ｔｉｍｅ  Ｄｉｖｉｓｉｏｎａｌ  Ｄｕｐｌｅｘ）を支援する無線通信システムにおいて端末がＳＲＳ（ｓｏｕｎｄｉｎｇ  ｒｅｆｅｒｅｎｃｅ  ｓｉｇｎａｌ）を送信する方法において、
４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を受信すること；
前記ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルに前記４−ＴＣ  ＳＲＳをマップすること；及び
前記ＵｐＰＴＳを通じて前記４−ＴＣ  ＳＲＳを送信すること；を含み、
前記４−ＴＣ  ＳＲＳをマップすることは、前記ＴＣ情報によって指示されたＴＣに基づいて前記ＳＲＳシンボル上で４個のＲＥ当たりに１個のＲＥの単位で前記４−ＴＣ  ＳＲＳがマップされ、
前記４−ＴＣ  ＳＲＳの送信は、前記ＵｐＰＴＳに多数のシンボルが設定される場合に支援される、ＳＲＳ送信方法。
（項目２）
前記ＵｐＰＴＳに一つのシンボルのみが設定されると、前記一つのシンボルは、前記４−ＴＣ  ＳＲＳでなく２−ＴＣ  ＳＲＳ送信を支援する、項目１に記載のＳＲＳ送信方法。
（項目３）
前記ＵｐＰＴＳ内で前記４−ＴＣ  ＳＲＳがマップされる前記ＳＲＳシンボルのインデックスは固定される、項目１に記載のＳＲＳ送信方法。
（項目４）
２−ＴＣ  ＳＲＳが送信される上りリンクサブフレームでは前記４−ＴＣ  ＳＲＳの送信が許容されない、項目１に記載のＳＲＳ送信方法。
（項目５）
基地局からＳＲＳ送信に使用可能な追加的なシンボルの情報をＲＲＣシグナリングを通じて受信することをさらに含む、項目１に記載のＳＲＳ送信方法。
（項目６）
前記４−ＴＣ  ＳＲＳは、
前記端末の多数のアンテナポートのうち一つ又は２個を介して送信される、項目１に記載のＳＲＳ送信方法。
（項目７）
前記４−ＴＣ  ＳＲＳが一つのアンテナポートを介して送信される場合、前記一つのアンテナポートｓｒｓｐ（ｎ）は式Ａに基づいて決定され、
【数２３】
0006362707.tif 000157
「Ｍ」は前記端末の受信アンテナの個数、「ｎｆ」はＳＦＮ（ｓｙｓｔｅｍ  ｆｒａｍｅ  ｎｕｍｂｅｒ）、「ｎｓ」はスロットナンバー（ｓｌｏｔ  ｎｕｍｂｅｒ）、「ＴＳＲＳ」は端末特定のＳＲＳ送信周期を示す、項目６に記載のＳＲＳ送信方法。
（項目８）
前記４−ＴＣ  ＳＲＳが２個のアンテナポートを介して送信される場合、前記２個のアンテナポートｓｒｓｐ（ｎ）及びｓｒｓｐ＋１（ｎ）は、式Ｂに基づいて決定され、
【数２４】
0006362707.tif 000158
「Ｍ」は前記端末の受信アンテナの個数、「ｎｆ」はＳＦＮ（ｓｙｓｔｅｍ  ｆｒａｍｅ  ｎｕｍｂｅｒ）、「ｎｓ」はスロットナンバー（ｓｌｏｔ  ｎｕｍｂｅｒ）、「ＴＳＲＳ」は端末特定のＳＲＳ送信周期を示す、項目６に記載のＳＲＳ送信方法。
（項目９）
ＴＤＤ（Ｔｉｍｅ  Ｄｉｖｉｓｉｏｎａｌ  Ｄｕｐｌｅｘ）を支援する無線通信システムにおいてＳＲＳ（ｓｏｕｎｄｉｎｇ  ｒｅｆｅｒｅｎｃｅ  ｓｉｇｎａｌ）を送信する端末において、
４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を受信する受信機；
前記ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルに前記４−ＴＣ  ＳＲＳをマップするプロセッサ；及び
前記ＵｐＰＴＳを通じて前記４−ＴＣ  ＳＲＳを送信する送信機；を含み、
前記４−ＴＣ  ＳＲＳをマップする前記プロセッサは、前記ＴＣ情報によって指示されたＴＣに基づいて前記ＳＲＳシンボル上で４個のＲＥ当たりに１個のＲＥの単位で前記４−ＴＣ  ＳＲＳをマップし、
前記４−ＴＣ  ＳＲＳの送信は、前記ＵｐＰＴＳに多数のシンボルが設定される場合に支援される、端末。
（項目１０）
ＴＤＤ（Ｔｉｍｅ  Ｄｉｖｉｓｉｏｎａｌ  Ｄｕｐｌｅｘ）を支援する無線通信システムにおいて基地局がＳＲＳ（ｓｏｕｎｄｉｎｇ  ｒｅｆｅｒｅｎｃｅ  ｓｉｇｎａｌ）を受信する方法において、
４−ＴＣ（Ｔｒａｎｓｍｉｓｓｉｏｎ  Ｃｏｍｂ）  ＳＲＳによって支援される合計４個のＴＣのうちいずれか一つを指示するＴＣ情報を送信すること；及び
前記ＴＣ情報に基づいてＴＤＤ特別サブフレームのＵｐＰＴＳ（ｕｐｌｉｎｋ  ｐｉｌｏｔ  ｔｉｍｅ  ｓｌｏｔ）のＳＲＳシンボルにマップされた前記４−ＴＣ  ＳＲＳを受信すること；を含み、
前記４−ＴＣ  ＳＲＳは、前記ＴＣ情報によって指示されたＴＣに基づいて前記ＳＲＳシンボル上で４個のＲＥ当たりに１個のＲＥの単位でマップされ、
前記４−ＴＣ  ＳＲＳの受信は、前記ＵｐＰＴＳに多数のシンボルが設定される場合に支援される、ＳＲＳ受信方法。
（項目１１）
前記ＵｐＰＴＳに一つのシンボルのみが設定されると、前記一つのシンボルは、前記４−ＴＣ  ＳＲＳでなく２−ＴＣ  ＳＲＳ送信を支援する、項目１０に記載のＳＲＳ受信方法。
（項目１２）
前記ＵｐＰＴＳ内で前記４−ＴＣ  ＳＲＳがマップされる前記ＳＲＳシンボルのインデックスは固定される、項目１０に記載のＳＲＳ受信方法。
（項目１３）
２−ＴＣ  ＳＲＳが送信される上りリンクサブフレームでは前記４−ＴＣ  ＳＲＳの送信が許容されない、項目１０に記載のＳＲＳ受信方法。
（項目１４）
ＳＲＳ送信に使用可能な追加的なシンボルの情報をＲＲＣシグナリングを通じて端末に送信することをさらに含む、項目１０に記載のＳＲＳ受信方法。
（項目１５）
前記４−ＴＣ  ＳＲＳは、
端末の多数のアンテナポートのうち一つ又は２個を介して送信される、項目１０に記載のＳＲＳ受信方法。
【０２１６】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０２１７】
上述したように、本発明の各実施例は、３ＧＰＰベースの無線通信システムを始めとした多様な無線通信システムに適用することができる。
【図１】
0006362707.tif 000161
【図２】
0006362707.tif 000162
【図３】
0006362707.tif 000163
【図４】
0006362707.tif 000164
【図５】
0006362707.tif 000165
【図６】
0006362707.tif 000166
【図７】
0006362707.tif 000167
【図８】
0006362707.tif 000168
【図９】
0006362707.tif 000169
【図１０】
0006362707.tif 000170
【図１１ａ】
0006362707.tif 000171
【図１１ｂ】
0006362707.tif 000172
【図１２ａ】
0006362707.tif 000173
【図１２ｂ】
0006362707.tif 000174
【図１３】
0006362707.tif 000175
【図１４】
0006362707.tif 000176